(57)【特許請求の範囲】
【請求項１】
光入射面より導入された光を閉じ込め、面状に広げて光出射面から出射させる導光板と、
当該導光板の光出射面と反対側の面に形成された多数の拡散パターンと、
前記光入射面から導光板内に光を入射させるための、光入射面の幅と比較して小さな光源とを備えた面光源装置において、
前記拡散パターンは、前記光源からの距離が大きくなるにしたがってそのパターン密度が大きくなるようにして、前記光源を中心とする円周方向に沿って離散的に配置され、
個々の前記拡散パターンの、光源を中心とする円周方向の長さを、前記光源から見込む角度が、前記光源から離れた領域よりも前記光源に近い領域で小さくなっており、
少なくとも光源の近傍に位置する前記拡散パターンは、光源と光源から最も遠い位置にある拡散パターンの中心とを結ぶ線分から、光源を中心とする円周方向へランダムに偏位されていることを特徴とする面光源装置。
【発明の詳細な説明】
【０００１】
【発明の属する技術分野】
本発明は、面光源装置に関する。具体的にいうと、本発明は液晶表示装置や照明装置などに用いられる面光源装置に関する。
【０００２】
【従来の技術】
（点光源を用いた従来の面光源装置）
従来例の面光源装置１を図１の分解斜視図及び図２の断面図により示す。面光源装置１は、光を閉じ込めるための導光板２と発光部３と反射板４とから構成されている。導光板２はポリカーボネイト樹脂やメタクリル樹脂等の透明で屈折率の大きな樹脂により成形されており、導光板２の下面には凹凸加工や拡散反射インクのドット印刷等によって多数の拡散パターン５が形成されている。発光部３は、回路基板６上に複数の発光ダイオード（ＬＥＤ）等のいわゆる点光源７を実装したものであって、導光板２の側面（光入射端面８）に対向している。反射板４は、反射率の高い例えば白色樹脂シートによって形成されており、両面テープ９によって両側部を導光板２の下面に貼り付けられている。
【０００３】
しかして、図２に示すように、発光部３から出射されて光入射端面８から導光板２の内部に導かれた光ｆは、導光板２内部で全反射することによって導光板２内部に閉じ込められる。導光板２内部の光ｆは拡散パターン５に入射すると拡散反射され、光出射面１０へ向けて全反射の臨界角よりも小さな角度で反射された光ｆが光出射面１０から外部へ取り出される。また、導光板２下面の拡散パターン５の存在しない箇所を透過した光ｆは、反射板４によって反射されて再び導光板２内部へ戻るので、導光板２下面からの光量損失を防止される。
【０００４】
このような面光源装置１において光出射領域全体で発光輝度を均一にするためには、図３（ａ）に示すように、光入射端面８から導光板２内に入射した光ｆを導光板２下面の拡散パターン５で散乱させ、光ｆを光出射領域全体に均一に散らばらせる必要がある。そのため、導光板２下面に拡散パターン５を設けるにあたっては、図３（ｂ）に示すように、拡散パターン５で反射した光ｆの一部が光出射面１０側へ反射されて光出射面１０から外部へ出射され、また拡散パターン５で反射した光ｆの一部が導光板２内で光進行方向を変換するよう、拡散パターン５の傾度や傾斜方向などをばらつかせている。
【０００５】
上記のような拡散パターン５を形成された面光源装置１においては、導光板２内部の光ｆは、拡散パターン５で散乱を繰り返すことによって次第に均一に拡散されていくから、発光部３から離れた領域では比較的輝度分布が均一となる。しかし、図４（ａ）に示すように、点光源７の直前領域イでは導光板２が明るく光り、光入射端面８側における点光源７前方の中間領域ロでは導光板２が暗くなる。図４（ｂ）は、図４（ａ）のＣ１−Ｃ１線に沿った光入射端面８近傍での輝度の変化を示しており、発光部３の近傍では、光入射端面８と平行な方向に沿って輝度のばらつきが大きくなっており、輝度変化の比が数倍〜１０数倍に達することもある。
【０００６】
このように点光源７前方の中間領域ロにおける輝度が点光源７の直前領域イの輝度より低いのは、点光源７前方の中間領域ロへ導光される光が少ないためである。そして、点光源７前方の中間領域ロへの導光量が少ないのは、図５に示すように、点光源（発光ダイオード）７から出射した光ｆが前方に集中していること、導光板２への入射時に光入射端面８で光ｆが屈折されて前方へ向けられること、光入射端面８近傍では拡散パターン５により光ｆを幅方向（点光源配列方向）へ拡散させる効果も十分に表われていないことなどによる。
【０００７】
ここで、点光源７前方における拡散パターン５の拡散効果を大きくし、点光源７前方へ入射した光を幅方向に曲げるようにすれば、点光源７前方の中間領域ロにおける輝度は向上するが、同時に点光源７の直前領域イにおいて光出射面１０へ向かう光量も増加するので、点光源７の直前領域イにおける輝度も高くなり、輝度ばらつきは改善されない。
【０００８】
また、図４（ｃ）は、図４（ａ）のＣ２−Ｃ２線に沿った光入射端面８から遠い領域での輝度の変化を表わしている。光入射端面８から遠い側では、輝度の変化は小さく輝度の均一度は高くなっているが、両端で輝度が急激に低下している。すなわち、導光板２の光入射端面８と反対側の隅部ハが暗くなる。これは、図４（ａ）のＣ２−Ｃ２線上の隅部ハ以外へは、図６（ａ）に示すように、４つの点光源７からの光ｆが到達するが、隅部ハへは、図６（ｂ）に示すように、当該隅部ハから遠くに位置している２個の点光源７からの光ｆは届きにくいので、隅部ハで輝度が低下して暗くなるためである。
【０００９】
これを解決してＣ２−Ｃ２線の位置での輝度分布を均一化するためには、点光源７からＣ２−Ｃ２線に至るまでの間で拡散パターン５による幅方向への拡散を大きくすればよいが、拡散パターン５による拡散を大きくすると、Ｃ２−Ｃ２線に達するまでに光ｆが光出射面１０から外部へ出射されてしまい、また導光板２の両側面からの光ｆの漏れも大きくなり、Ｃ２−Ｃ２線の位置に到達する光ｆが少なくなってＣ２−Ｃ２線の位置全体が暗くなってしまう。
【００１０】
以上述べたように、面光源装置は輝度分布の均一化が求められているにも拘らず、複数の光源を備えた面光源装置では、拡散パターンの形状や密度、拡散効果等を工夫しても、その輝度分布を均一化させることは困難であった。
【００１１】
（１つの点光源を用いた面光源装置）
一方、バックライト型の液晶表示装置は、薄くて軽量であるので、電子手帳、携帯型パソコン等の携帯情報端末や携帯電話等の携帯性の強い商品のディスプレイ装置として用いられている。このような携帯性の強い商品に用いる場合には、携帯性向上の面から、電池の長寿命化が強く要求されており、このディスプレイ装置に用いられるバックライトも低消費電力化が要求されている。
【００１２】
このためバックライトとして用いられる面光源装置の点光源（発光ダイオード）も高効率なものを使用し、使用する点光源の個数を減らすことによって低消費電力化が図られている。このような面光源装置１１は、究極的には図７に示すような小さな光源（発光ダイオード）、すなわち点光源７を１個用いたものとなる。
【００１３】
しかし、このようにして点光源の数を減らしていくと、面光源装置の輝度ばらつきが大きくなり、例えば１個の点光源７を用いた面光源装置１１では、図７に示すように、点光源７の直前領域イでは輝度が非常に大きく、導光板２の四箇所の隅部ハでは輝度が低下して暗くなる。
【００１４】
従って、面光源装置、特に液晶表示装置のバックライトとして用いられる面光源装置にあっては、使用する点光源の数をできるだけ少なく、しかも輝度分布の均一性をできるだけ高くすることが求められている。
【００１５】
【発明が解決しようとする課題】
（先行技術例）
そこで、本発明の発明者らは、使用する点光源の数をできるだけ少なくし、しかも輝度分布の均一性を高くすることができる面光源装置の構造を提案している（以下、これを先行技術例という）。これは、例えば図８に示す面光源装置２１のように、導光板２２の一方端面（光入射端面２３）の中央部にＬＥＤ等の点光源２５（本明細書においては、光入射端面の幅に比較して小さな光源を点光源という）を配置し、光出射面２６における輝度を均一化するために多数の拡散パターン２４を導光板２２の下面に設け、光出射面２６に半透過板２７を重ねている。これらの拡散パターン２４は、点光源２５を中心として導光板２２の下面全面に放射状となるように配列されている。
【００１６】
また、各拡散パターン２４どうしは点光源２５からの距離が遠くなるにつれてピッチが短くなっており、点光源２５から離れるに従って拡散パターン密度が次第に大きくなっている。これは、点光源２５から遠くなるに従って、徐々に光出射面２６から光ｆが出て点光源２５から到達する光ｆの量が少なくなることと、点光源２５から離れるに従って光ｆの拡がりが大きくなって光ｆが弱くなるので、光ｆが光出射面２６へ向けて反射される確率が距離とともに大きくなるようにしたものである。つまり、点光源２５に近い領域では、光強度が強いので、図１０（ａ）に示すように、同一断面形状をした拡散パターン２４を小さなパターン密度で形成し、点光源２５から離れた領域では、光ｆの強度が弱いので、図９（ａ）に示すように、同一断面形状をした拡散パターン２４を大きなパターン密度で形成することにより、輝度が均一な導光板を実現している。
【００１７】
しかしながら、このような面光源装置２１にあっては、点光源２５の近傍では拡散パターン２４のパターン密度が小さく、拡散パターン２４がまばらになるので、図１１に示すように、点光源２５の近くで拡散パターン２４が浮き出て見えるという問題が生じた。このようにして拡散パターン２４が浮き出ると、液晶表示装置のバックライトとして用いた場合、表示画面の文字が見にくくなったり、表示画面が美しくなくなったりする。
【００１８】
本発明は上記の先行技術例に鑑みてなされたものであり、その目的とするところは、点光源を中心とする円周方向に沿って拡散パターンを同心円状に配列した図８のような面光源装置において、輝度分布を均一化するために点光源からの距離が大きくなるにしたがってそのパターン密度が大きくなるように拡散パターンを配置した場合に、点光源の近傍において拡散パターンが浮き出て見えるのを防止し、面光源装置の品質を向上させることにある。
【００１９】
【発明の開示】
請求項１に記載の面光源装置は、光入射面より導入された光を閉じ込め、面状に広げて光出射面から出射させる導光板と、当該導光板の光出射面と反対側の面に形成された多数の拡散パターンと、前記光入射面から導光板内に光を入射させるための、光入射面の幅と比較して小さな光源とを備えた面光源装置において、前記拡散パターンは、前記光源からの距離が大きくなるにしたがってそのパターン密度が大きくなるようにして、前記光源を中心とする円周方向に沿って離散的に配置され、個々の前記拡散パターンの、光源を中心とする円周方向の長さを、前記光源から見込む角度が、前記光源から離れた領域よりも前記光源に近い領域で小さくなっており、少なくとも光源の近傍に位置する前記拡散パターンは、光源と光源から最も遠い位置にある拡散パターンの中心とを結ぶ線分から、光源を中心とする円周方向へランダムに偏位されていることを特徴としている。
【００２０】
請求項１に記載の面光源装置における拡散パターンは、光源からの距離が大きくなるにしたがってそのパターン密度が大きくなるようにして、光源を中心とする円周方向に沿って離散的に配置され、個々の前記拡散パターンの、光源を中心とする円周方向の長さを、前記光源から見込む角度が、前記光源から離れた領域よりも前記光源に近い領域で小さくなるようにしているので、輝度分布を均一化する必要上、光源に近い領域では拡散パターン密度を変えることなく、光源から見た方向のパターン間隔を小さくできる。よって、光源の近傍でも拡散パターンの間の間隔を小さくすることができ、拡散パターンが導光板の表面に浮き出て見えるのを防止することができる。
【００２１】
また、光源に近い領域で拡散パターンを見込む角度を小さくすると、円周方向で拡散パターンどうしの間隔が広くなり、暗部が生じる恐れがあるが、請求項１に記載の面光源装置においては、少なくとも光源の近傍に位置する前記拡散パターンが、光源と光源から最も遠い位置にある拡散パターンの中心とを結ぶ線分から、光源を中心とする円周方向へランダムに偏位しているので、このような暗部の発生を抑制できる。
【００２７】
【発明の実施の形態】
（第１の実施形態）
図１２は本発明の一実施形態による面光源装置３１を示す分解斜視図であって、導光板３２と発光部３３と反射板３４とから構成されている。導光板３２はポリカーボネイト樹脂やメタクリル樹脂等の屈折率の大きな透明樹脂材料によって成形されており、導光板３２の上面が光出射面３５となっており、下面には多数の拡散パターン３６が凹設されている。この導光板３２の下面両側部には、溝状をした反射板保持部３７が設けられており、導光板３２の光入射端面と反対側の端面には、下方へ向けてストッパー３８が垂下されている。
【００２８】
発光部３３にあっては、反射率の高い白色樹脂からなる外装ケース３９内に点光源４０を構成する発光ダイオードチップ（ＬＥＤチップ）が納められている。点光源実装位置においては、外装ケース３９が開口されており、この開口内に透明樹脂４７を成形して点光源４０を封止している。
【００２９】
導光板３２の光入射端面４４からは一対の弾性片４１が一体成形により突設されており、両弾性片４１の先端部内面には係合爪４２が突出している。一方、外装ケース３９の両側面には、弾性片４１がぴったりと納まるような側面溝４３が凹設されている。しかして、発光部３３は弾性片４１を側面溝４３に納めるようにして弾性片４１間に挟持されており、弾性片４１の係合爪４２を背面に係合することによって脱落しないよう保持されている。
【００３０】
また、導光板３２の光入射端面４４の中央には、光結合凹部４５が形成されている。発光部３３においては、外装ケース３９の開口の上縁及び下縁からは、導光板３２の光結合凹部４５にはまり込むよう光結合凹部４５と合致した形状の光反射壁４６が延出している。導光板３２の光結合凹部４５には、発光部３３が対向配置され、光結合凹部４５に発光部３３の光反射壁４６及びその間の透明樹脂４７がはまり込む。
【００３１】
ここで、光結合凹部４５は、点光源４０から出射されて導光板３２内部へ導かれた光の屈折方向を光学的に制御するものであって、点光源４０を中心とする各方位における導光板面積（扇形領域Ｃの面積）に比例した光量の光を各方位へ分配すると共に導光板３２の四隅にも光が届くようにしている。
【００３２】
反射板３４は表面反射率の高い材料によって形成されており、例えば硬質もしくは比較的軟質の白色プラスチックシートによって形成されている。この反射板３４は、両側部を反射板保持部３７に差し込んで導光板３２下面に保持される。
【００３３】
また、導光板３２の上面（光出射面３５）には、半透過板４８が重ねられる（図１５（ｂ））。
【００３４】
導光板３２の下面に設けられている拡散パターン３６の配置を図１３に示す。導光板３２の下面に凹設された各拡散パターン３６は、かまぼこ形をしており、点光源４０を中心とする一定角度の扇形領域Ｃ内において点光源４０の近傍から導光板３２の縁まで配列されている。また、いずれの拡散パターン３６も長さ方向が点光源４０と結ぶ方向に対して９０°の角度をなすように配置されており、点光源４０を中心とする円周方向には拡散作用を有していない。しかも、それぞれの拡散パターン３６の長さは、点光源４０に対して遠い側から近い側へ近づくに従って次第に短くなっており、さらには、点光源４０を中心として各拡散パターン３６の長さを見込む角度も点光源４０に対して遠い側から近い側へ向けて徐々に小さくなっている。しかも、拡散パターン３６のパターン密度は、導光板３２の輝度分布が均一となるように設計されている。
【００３５】
ここで、先行技術例（図８）において点光源２５の近傍で拡散パターン２４が浮き出て光出射面２６から見える理由を考える。先行技術例においては、各拡散パターン２４は同一断面を有しており、その長さは点光源２５からの距離に比例していた。従って、点光源２５から各拡散パターン２４の長さを見込む角度は、図１４（ａ）に示すように一定となっていた。このため、導光板２２の輝度分布が均一となるように拡散パターン２４を設けると、図１５（ａ）に示すように、点光源２５から離れた部分では拡散パターン２４どうしの間隔は短く、点光源４０に近い部分では、拡散パターン２４どうしの間隔が長くなっている。
【００３６】
こうして点光源２５から離れた領域では、拡散パターン２４のパターン密度が大きいので、先行技術例では、図９（ａ）に示すように、拡散パターン２４で反射された光ｆは図９（ｂ）の細線α１のような輝度分布を持つが、これが半透過板２７で拡散されると、図９（ｂ）の太線β１のような輝度分布となり、どの位置でもほぼ均一となるように輝度分布が均一化される。これに対し、点光源２５に近い領域では、拡散パターン２４のパターン密度が小さいので、図１０（ａ）に示すように、拡散パターン２４で反射された光は図１０（ｂ）の細線α２のような輝度分布を持つ。しかし、拡散パターン２４間の距離が長過ぎるため、これが半透過板２７で拡散されても充分に均一化されず、図１０（ｂ）の太線β２のような輝度分布となり、明暗が見えてしまう。因みに、図９（ｂ）の太線β１で示した輝度分布の平均値と図１０（ｂ）の太線β２で示した輝度分布の平均値とは等しく、さらに、導光板３２の任意の箇所で一定となっている。
【００３７】
これに対し、本実施形態では、図１４（ｂ）に示すように、点光源４０の近くに位置している拡散パターン３６の長さを見込む角度θ１は、点光源４０から離れた拡散パターン３６の長さを見込む角度θ２（これは先行技術例の場合と等しい）よりも小さくなっている（つまり、点光源４０の近くでは、先行技術例の場合よりも拡散パターン３６の長さが短い）ので、導光板３２全体で輝度分布が均一になるようにすると、点光源４０の近傍においては、拡散パターン密度を変えることなく、拡散パターン３６の間隔を先行技術例の場合よりも小さくできる。すなわち、点光源４０の近傍においては、図１５（ａ）（ｂ）に比較して示すように、拡散パターン３６どうしの間隔は先行技術例の場合よりも短くなる。
【００３８】
この結果、点光源４０から離れた領域では、先行技術例と同様、図１６（ａ）に示すように、拡散パターン３６で反射された光は図１６（ｂ）の細線α３のような輝度分布を持つが、これが半透過板４８で拡散されると、図１６（ｂ）の太線β３のような輝度分布となり、どの位置でもほぼ均一となるように輝度分布が均一化される。点光源４０に近い領域では、先行技術例と比較して拡散パターン３６どうしの間隔が短くなるので、図１７（ａ）に示すように、拡散パターン３６で反射された光は図１７（ｂ）の細線α４のような輝度分布を持ち、半透過板４８で拡散されると均一化されて図７（ｂ）の太線β４のような輝度分布となり、明部と暗部とのコントラストが肉眼では認識できなくなる。特に、実験結果では、拡散パターン３６の間隔が０.２ｍｍ以下となるようにすれば、見えなくなることが分かった。
【００３９】
（第２の実施形態）
図１８は本発明の別な実施形態による面光源装置５１に用いられている導光板３２下面の拡散パターン３６を示す一部省略した概略図である。第１の実施形態では、点光源４０位置に対する拡散パターン３６の長さの見込み角が、点光源４０からの距離が短くなるに従って徐々に狭くなるようにしていたが、各拡散パターン３６の中心は扇形領域Ｃの二等分線γ上に位置していた。この第２の実施形態では、光源位置に対する拡散パターン３６の長さの見込み角が、点光源４０からの距離が短くなるに従って徐々に狭くなるようにしている点は同様であるが、拡散パターン３６が扇形領域Ｃからはみ出さないようにして、拡散パターン３６の中心は扇形領域Ｃの二等分線γ上から点光源４０を中心とする円周方向へランダムに偏位させている。特に、点光源４０の近傍において拡散パターン３６の配置をランダムにしている。
【００４０】
扇形領域Ｃの二等分線γ上に拡散パターン３６が整然と位置していると、点光源４０の近傍において扇形領域Ｃの拡がりに比較して拡散パターン３６の長さが短くなることによって扇形領域Ｃの境界上では拡散パターン３６のない領域が発生し、このため図１９に示すような暗部ホが発生する。第２の実施形態では、点光源４０の近傍で拡散パターン３６の配置を円周方向にランダム化することにより、このような暗部ホの発生を抑制している。
【００４１】
なお、図示しないが、各拡散パターン３６が扇形領域Ｃを越えて、点光源４０を中心とする円周方向へ偏位するようにしても差し支えない。
【００４２】
（第３の実施形態）
図２０は本発明のさらに別な実施形態による面光源装置５２に用いられている導光板３２下面の拡散パターン３６を示す一部省略した概略図である。図２１（ａ）は図２０の扇形領域Ｃの二等分線上における断面図である。また、図２１（ｂ）は比較のため先行技術例の場合を示している。この実施形態においては、図２０に示すように、拡散パターン３６の長さは扇形領域Ｃの幅に等しくなっている。すなわち、点光源４０から拡散パターン３６の長さを見込む角は、いずれの拡散パターン３６も等しくなっている。また、図２１（ａ）に示すように、拡散パターン３６の断面においては、拡散パターン３６の幅（Ｗ）はいずれも等しくなっている。しかし、拡散パターン３６の高さ（Ｈ）は、点光源４０に近くなるほど徐々に低くなっている。
【００４３】
図２２（ａ）（ｂ）は、低い拡散パターン３６と高い拡散パターン３６との光を拡散する様子を示している。この図に示しているように、拡散パターン３６の高さＨが低くなると、光出射面３５から取り出される光量が少なくなる（拡散パターン３６の長さを短くするのと同じ効果がある）ので、点光源４０に近づくほど拡散パターン３６の高さＨを徐々に低くなるようにすれば、輝度分布を均一にするためには、図２１（ａ）（ｂ）に示すように、点光源４０の近傍における拡散パターン密度を先行技術例の場合よりも高くする必要がある。このため、点光源４０の近傍における拡散パターン３６が浮き出て見えるのを防止することができる。
【００４４】
（第４の実施形態）
図２３は本発明のさらに別な実施形態による面光源装置５３に用いられている導光板３２下面の拡散パターン３６を示す一部省略した概略図である。図２４（ａ）は図２３の扇形領域Ｃの二等分線γ上における断面図である。また、図２４（ｂ）は比較のため先行技術例の場合を示している。この実施形態においても、図２３に示すように、拡散パターン３６の長さは扇形領域Ｃの幅に等しくなっている。すなわち、点光源４０から拡散パターン３６の長さを見込む角は、いずれの拡散パターン３６も等しくなっている。また、図２４（ａ）に示すように、拡散パターン３６の断面においては、拡散パターン３６の高さ（Ｈ）はいずれも等しくなっている。しかし、拡散パターン３６の幅（Ｗ）は、点光源４０に近くなるほど徐々に広くなっている。
【００４５】
図２５（ａ）（ｂ）は、幅の広い拡散パターン３６と幅の狭い拡散パターン３６との光ｆを拡散する様子を示している。この図に示しているように、拡散パターン３６の幅が広くなると、光出射面３５から取り出される光量が少なくなる（拡散パターン３６の長さを短くするのと同じ効果がある）ので、点光源４０に近づくほど拡散パターン３６の幅を徐々に広くすれば、輝度分布を均一にするためには、図２５（ａ）（ｂ）に示すように、点光源４０の近傍における拡散パターン密度を先行技術例の場合よりも高くする必要がある。このため、点光源４０の近傍における拡散パターン３６が浮き出て見えるのを防止することができる。
【００４６】
（第５の実施形態）
第１〜第４の実施形態では、点光源４０の近傍で点光源４０からの見込み角を小さくする場合、点光源４０の近傍で拡散パターン３６の高さＨを小さくする場合、点光源４０の近傍で拡散パターン３６の断面における幅Ｗを広くする場合について説明した。しかし、これらの実施形態は、それぞれ単独で実施できるだけでなく、互いに組み合わせて実施することもできる。例えば、図２６に示す実施形態の面光源装置５４では、点光源４０に近づくにつれて拡散パターン３６の断面における幅Ｗが徐々に広くなると同時に高さＨが徐々に低くなるようにしている。
【００４７】
（第６の実施形態）
拡散パターン３６としては、上記各実施形態では、図２７（ａ）のようなかまぼこ形のものを用いたが、これに限らず、例えば図２７（ｂ）のような三角柱状の拡散パターン３６でもよい。かまぼこ形の拡散パターン３６では、その表面に入射した光は広い範囲にわたって均等に反射され、いろいろな入射角で光出射面３５に入射するので、導光板３２の全体で輝度を均一にできるという利点がある。一方、三角柱状の拡散パターン３６では、不要な斜面をなくす（つまり、点光源４０と反対側の面を垂直面とする）ことができるので、拡散パターン３６密度を高くすることができ、光の出射率を高くすることができ、高効率の導光板３２が得られるという利点がある。
【００４８】
また、三角柱状の拡散パターン３６の場合には、図２８に示す面光源装置５５のように、拡散パターン３６の断面形状を点光源４０からの距離に応じて変化させることによって、点光源４０の近傍における拡散パターン３６密度を大きくし、拡散パターン３６が見えるのを防止することができる。
【図面の簡単な説明】
【図１】従来例の面光源装置を示す分解斜視図である。
【図２】同上の面光源装置の概略断面図である。
【図３】（ａ）（ｂ）は同上の面光源装置の作用説明図である。
【図４】（ａ）は同上の面光源装置の問題点を説明する図、（ｂ）は（ａ）のＣ１−Ｃ１線に沿った輝度の変化を示す図、（ｃ）は（ａ）のＣ２−Ｃ２線に沿った輝度の変化を示す図である。
【図５】同上の面光源装置の問題点が発生する理由を説明する図である。
【図６】（ａ）（ｂ）は同上の面光源装置の問題点が発生する理由を説明する図である。
【図７】１個の点光源を用いた面光源装置を示す図である。
【図８】先行技術例に用いられている導光板の拡散パターンを示す図である。
【図９】（ａ）は同上の導光板の点光源から遠くの領域における断面とそこでの光の振舞いを示す図、（ｂ）は導光板から出た光の輝度分布と半透過板を通過した後の光の輝度分布を示す図である。
【図１０】（ａ）は同上の導光板の点光源の近くの領域における断面とそこでの光の振舞いを示す図、（ｂ）は導光板から出た光の輝度分布と半透過板を通過した後の光の輝度分布を示す図である。
【図１１】同上の先行技術例における問題点を説明する図である。
【図１２】本発明の一実施形態による面光源装置を示す分解斜視図である。
【図１３】同上の面光源装置に用いられている導光板の下面に設けられた拡散パターンを示す図である。
【図１４】（ａ）は先行技術例における１つの扇形領域内の拡散パターンを示す図、（ｂ）は本発明の実施形態における１つの扇形領域内の拡散パターンを示す図である。
【図１５】（ａ）は先行技術例における拡散パターンの配置と導光板内での光の振舞いを示す図、（ｂ）は同上の実施形態における拡散パターンの配置と導光板内での光の振舞いを示す図である。
【図１６】（ａ）は同上の実施形態において導光板の点光源から遠くの領域における断面とそこでの光の振舞いを示す図、（ｂ）は導光板から出た光の輝度分布と半透過板を通過した後の光の輝度分布を示す図である。
【図１７】（ａ）は同上の実施形態において導光板の点光源の近くの領域における断面とそこでの光の振舞いを示す図、（ｂ）は導光板から出た光の輝度分布と半透過板を通過した後の光の輝度分布を示す図である。
【図１８】本発明の別な実施形態であって、１つの扇形領域内における拡散パターンの配置の特徴を示す平面図である。
【図１９】第１の実施形態において起こり得る問題を示す図である。
【図２０】本発明のさらに別な実施形態であって、１つの扇形領域内における拡散パターンの配置を示す平面図である。
【図２１】（ａ）は同上の実施形態における拡散パターンの配置と導光板内での光の振舞いを示す図、（ｂ）は先行技術例における拡散パターンの配置と導光板内での光の振舞いを示す図である。
【図２２】（ａ）は本発明の実施形態において導光板の点光源の近くの領域における断面とそこでの光の振舞いを示す図、（ｂ）は導光板から遠くの領域における断面とそこでの光の振舞いを示す図である。
【図２３】本発明のさらに別な実施形態であって、１つの扇形領域内における拡散パターンの配置を示す平面図である。
【図２４】（ａ）は同上の実施形態における拡散パターンの配置と導光板内での光の振舞いを示す図、（ｂ）は先行技術例における拡散パターンの配置と導光板内での光の振舞いを示す図である。
【図２５】（ａ）は本発明の実施形態において導光板の点光源の近くの領域における断面とそこでの光の振舞いを示す図、（ｂ）は導光板から遠くの領域における断面とそこでの光の振舞いを示す図である。
【図２６】本発明のさらに別な実施形態の断面図である。
【図２７】（ａ）はかまぼこ形の拡散パターンを示す斜視図、（ｂ）は三角柱状の拡散パターンを示す斜視図である。
【図２８】本発明のさらに別な実施形態の断面図である。
【符号の説明】
３２  導光板
３３  発光部
３５  光出射面
３６  拡散パターン
４０  点光源
４４  光入射端面
４８  半透過板
θ１，θ２  光源から見た拡散パターンの見込み角
Ｈ  拡散パターンの高さ
Ｗ  拡散パターンの幅
Ｃ  扇形領域
【図１】
0003651238.tif 000002
【図２】
0003651238.tif 000003
【図３】
0003651238.tif 000004
【図４】
0003651238.tif 000005
【図５】
0003651238.tif 000006
【図６】
0003651238.tif 000007
【図７】
0003651238.tif 000008
【図８】
0003651238.tif 000009
【図９】
0003651238.tif 000010
【図１０】
0003651238.tif 000011
【図１１】
0003651238.tif 000012
【図１２】
0003651238.tif 000013
【図１３】
0003651238.tif 000014
【図１４】
0003651238.tif 000015
【図１５】
0003651238.tif 000016
【図１６】
0003651238.tif 000017
【図１７】
0003651238.tif 000018
【図１８】
0003651238.tif 000019
【図１９】
0003651238.tif 000020
【図２０】
0003651238.tif 000021
【図２１】
0003651238.tif 000022
【図２２】
0003651238.tif 000023
【図２３】
0003651238.tif 000024
【図２４】
0003651238.tif 000025
【図２５】
0003651238.tif 000026
【図２６】
0003651238.tif 000027
【図２８】
0003651238.tif 000028
【図２７】
0003651238.tif 000029